(57)【要約】  【課題】  立体的な模様を従来より視認し易くすることができる携帯機器用ストラップを提供する。  【解決手段】  携帯機器用ストラップ１０は、立体的な模様２２ａを表示するステンレス製の表示板２０と、表示板２０の背面に積層されて固定されたアルミニウム製の背面板３０とを備え、表示板２０は、板厚方向とは直交する方向における枠２１ａを形成した枠体２１と、枠体２１の少なくとも一部から枠２１ａ内に延びて模様２２ａを形成した模様部２２とを有し、枠２１ａ内の模様部２２以外の部分が板厚方向に貫通し、背面板３０は、表示板２０側の面３０ｂが模様２２ａの色とは異なる色に着色されていることを特徴とする。【選択図】  図１
2008264410.tif 000002
【特許請求の範囲】
【請求項１】
任意の立体的な模様を表示する金属製の表示板と、前記表示板の背面に積層されて固定された金属製の背面板とを備え、
前記表示板は、板厚方向とは直交する方向における枠を形成した枠体と、前記枠体の少なくとも一部から前記枠内に延びて前記模様を形成した模様部とを有し、前記枠内の前記模様部以外の部分が前記板厚方向に貫通し、
前記背面板は、前記表示板側の面が前記模様の色とは異なる色に着色されていることを特徴とする携帯機器用ストラップ。
【請求項２】
前記表示板及び前記背面板は、着脱可能に固定されていることを特徴とする請求項１に記載の携帯機器用ストラップ。
【請求項３】
任意の立体的な模様を表示する金属製の表示板を製造する表示板製造工程と、前記表示板の背面に積層されて固定される金属製の背面板を製造する背面板製造工程と、前記表示板の背面に前記背面板を積層して固定する積層固定工程とを備えた携帯機器用ストラップの製造方法であって、
前記表示板製造工程は、前記表示板のもとになる金属製の板を削ることによって、板厚方向とは直交する方向における枠を形成した枠体と、前記枠体の少なくとも一部から前記枠内に延びて前記模様を形成した模様部とを有し、前記枠内の前記模様部以外の部分が前記板厚方向に貫通した前記表示板を製造し、
前記背面板製造工程は、前記背面板のもとになる金属製の板の面のうち前記表示板に固定されるときに前記表示板側になる面を前記模様の色とは異なる色に着色することによって前記表示板を製造することを特徴とする製造方法。
【発明の詳細な説明】
【技術分野】
【０００１】
本発明は、携帯電話機などの携帯機器に取り付けられるストラップに関するものである。
【背景技術】
【０００２】
従来、携帯機器用ストラップとして様々なものが知られており（例えば、特許文献１参照。）、例えば、図４に示すように、文字などの任意の立体的な模様９１を表示する金属製の携帯機器用ストラップ９０が知られている。
【特許文献１】特開２００７−０５３５０９号公報
【発明の開示】
【発明が解決しようとする課題】
【０００３】
しかしながら、図４に示す携帯機器用ストラップ９０においては、模様９１と、それ以外の部分とが全て同一の色であるので、模様９１が視認し難いという問題がある。
【０００４】
そこで、本発明は、立体的な模様を従来より視認し易くすることができる携帯機器用ストラップを提供することを目的とする。
【課題を解決するための手段】
【０００５】
本発明の携帯機器用ストラップは、任意の立体的な模様を表示する金属製の表示板と、前記表示板の背面に積層されて固定された金属製の背面板とを備え、前記表示板は、板厚方向とは直交する方向における枠を形成した枠体と、前記枠体の少なくとも一部から前記枠内に延びて前記模様を形成した模様部とを有し、前記枠内の前記模様部以外の部分が前記板厚方向に貫通し、前記背面板は、前記表示板側の面が前記模様の色とは異なる色に着色されていることを特徴とする。
【０００６】
この構成により、本発明の携帯機器用ストラップは、枠内の底面が模様の色とは異なる色に着色されているので、立体的な模様を従来より視認し易くすることができる。ところで、携帯機器用ストラップは、携帯機器の大きさに釣り合う程度に小さいので、仮に枠内の底面と模様とが一体に形成されている場合には、枠内のうち底面のみに着色する作業が細かい作業となり困難である。しかしながら、本発明の携帯機器用ストラップは、表示板と背面板とが分離しているので、表示板と背面板とが固定される前に背面板が着色されることができ、枠内のうち底面のみに容易に着色することができる。
【０００７】
また、本発明の携帯機器用ストラップの前記表示板及び前記背面板は、着脱可能に固定されていることが好ましい。
【０００８】
この構成により、本発明の携帯機器用ストラップは、背面板を取り換えるだけで、枠内の底面の色を容易に変更することができる。
【０００９】
本発明の携帯機器用ストラップの製造方法は、任意の立体的な模様を表示する金属製の表示板を製造する表示板製造工程と、前記表示板の背面に積層されて固定される金属製の背面板を製造する背面板製造工程と、前記表示板の背面に前記背面板を積層して固定する積層固定工程とを備えた携帯機器用ストラップの製造方法であって、前記表示板製造工程は、前記表示板のもとになる金属製の板を削ることによって、板厚方向とは直交する方向における枠を形成した枠体と、前記枠体の少なくとも一部から前記枠内に延びて前記模様を形成した模様部とを有し、前記枠内の前記模様部以外の部分が前記板厚方向に貫通した前記表示板を製造し、前記背面板製造工程は、前記背面板のもとになる金属製の板の面のうち前記表示板に固定されるときに前記表示板側になる面を前記模様の色とは異なる色に着色することによって前記表示板を製造することを特徴とする。
【００１０】
この構成により、本発明の製造方法によって製造された携帯機器用ストラップは、枠内の底面が模様の色とは異なる色に着色されているので、立体的な模様を従来より視認し易くすることができる。ところで、携帯機器用ストラップは、携帯機器の大きさに釣り合う程度に小さいので、仮に枠内の底面と模様とが一体に形成されている場合には、枠内のうち底面のみに着色する作業が細かい作業となり困難である。しかしながら、本発明の携帯機器用ストラップの製造方法は、表示板と背面板とが固定される前に背面板が着色されることができるので、枠内のうち底面のみに容易に着色することができる。
【発明の効果】
【００１１】
本発明によれば、立体的な模様を従来より視認し易くすることができる携帯機器用ストラップを提供することができる。
【発明を実施するための最良の形態】
【００１２】
以下、本発明の一実施の形態について、図面を用いて説明する。
【００１３】
まず、本実施の形態に係る携帯機器用ストラップの構成について説明する。
【００１４】
図１は、本実施の形態に係る携帯機器用ストラップ１０の外観斜視図である。図２は、携帯機器用ストラップ１０の分解斜視図である。図３は、携帯機器用ストラップ１０が取り付けられた携帯電話機６０の正面図である。
【００１５】
図１〜図３に示すように、携帯機器用ストラップ１０は、「ＣＯＬＯＲ  ＳＴＲＡＰ」という立体的な模様２２ａを表示するステンレス製の表示板２０と、表示板２０の背面に積層されて固定されたアルミニウム製の背面板３０と、表示板２０及び背面板３０を着脱可能に固定する２つのビス４０と、携帯機器としての携帯電話機６０に取り付けられる紐５０とを備えている。
【００１６】
表示板２０は、板厚方向とは直交する方向における枠２１ａを形成した枠体２１と、枠体２１の少なくとも一部から枠２１ａ内に延びて模様２２ａを形成した模様部２２とを有している。枠体２１は、ビス４０のネジ部分が通る２つの穴２１ｂと、紐５０が通る穴２１ｃとが形成されている。また、枠体２１のうち枠２１ａ内の模様部２２以外の部分は、板厚方向に貫通している。
【００１７】
背面板３０は、全面が模様２２ａの色である銀色とは異なる金色に着色されている。また、背面板３０は、ビス４０のネジ部分を固定する２つのネジ穴３０ａが形成されている。
【００１８】
紐５０は、全体を輪状にする固定部５１を有している。
【００１９】
なお、表示板２０は、「ＣＯＬＯＲ  ＳＴＲＡＰ」という立体的な模様２２ａが形成されているが、「ＣＯＬＯＲ  ＳＴＲＡＰ」という文字に限らず、任意の立体的な模様が形成されていても良い。
【００２０】
また、背面板３０は、全面がメッキ処理されているが、表示板２０側の面３０ｂのみがメッキ処理されていても良い。
【００２１】
また、背面板３０は、金色にメッキ処理されているが、例えば黒、白、ピンク、赤、オレンジ、緑、青、紫など金色以外の任意の色でメッキ処理されていても良い。
【００２２】
次に、携帯機器用ストラップ１０の製造方法について説明する。
【００２３】
表示板２０は、もとになるステンレス製の板をＣＯ２レーザで削ることによって、製造される（表示板製造工程）。
【００２４】
背面板３０は、もとになるアルミニウム製の板にネジ穴３０ａを空けた後、金色に染色したアルマイトメッキを全体に施すことによって、製造される（背面板製造工程）。
【００２５】
そして、携帯機器用ストラップ１０は、表示板２０の背面に背面板３０を積層してビス４０によって固定することによって、製造される（積層固定工程）。
【００２６】
以上に説明したように、携帯機器用ストラップ１０は、枠２１ａ内の底面、即ち背面板３０の面３０ｂが模様２２ａの色とは異なる色に着色されているので、立体的な模様２２ａを従来より視認し易くすることができる。
【００２７】
ところで、携帯機器用ストラップ１０は、携帯機器の大きさに釣り合う程度に小さいので、仮に枠２１ａ内の底面と模様２２ａとが一体に形成されている場合には、枠２１ａ内のうち底面のみに着色する作業が細かい作業となり困難である。しかしながら、携帯機器用ストラップ１０は、表示板２０と背面板３０とが分離しているので、表示板２０と背面板３０とが固定される前に背面板３０が着色されることができ、枠２１ａ内のうち底面のみに容易に着色することができる。
【００２８】
また、携帯機器用ストラップ１０は、背面板３０に着色された色によって枠２１ａ内の底面の色が決まるので、背面板３０を取り換えるだけで、枠２１ａ内の底面の色を容易に変更することができる。
【００２９】
なお、携帯機器用ストラップ１０は、表示板２０及び背面板３０がビス４０で着脱可能に固定されているが、ビス４０以外の構成によって表示板２０及び背面板３０が着脱可能に固定されていても良いし、表示板２０及び背面板３０が例えば接着剤などによって取り外し不可能に固定されていても良い。
【図面の簡単な説明】
【００３０】
【図１】本発明の一実施の形態に係る携帯機器用ストラップの外観斜視図である。
【図２】図１に示す携帯機器用ストラップの分解斜視図である。
【図３】図１に示す携帯機器用ストラップが取り付けられた携帯電話機の正面図である。
【図４】従来の携帯機器用ストラップの外観斜視図である。
【符号の説明】
【００３１】
１０  携帯機器用ストラップ
２０  表示板
２１  枠体
２１ａ  枠
２２  模様部
２２ａ  模様
３０  背面板
３０ｂ  面
６０  携帯電話機
【図１】
2008264410.tif 000003
【図２】
2008264410.tif 000004
【図３】
2008264410.tif 000005
【図４】
2008264410.tif 000006